(57)【要約】【課題】コンプレッサ等から排出されるドレンを各種フィルタを介し水質基準値を満足する清水として排出するドレン清水化用フィルタを提供すると共にその製造方法及びタンク等の内部にセット方法及び取り出し方法を提供する。【解決手段】空気と混合液との分離と、重力による油と水との分離及び浮遊物除去の行われた混合液は第３のタンク１８内に充填されているドレン清水化用フィルタ１により油分離，乳化分離及び油吸着され、かつ媒体の除去により油と水とは乳化分離し、完全に分離されて清水化される。【選択図】      図１
2004188378.tif 000002
【特許請求の範囲】
【請求項１】
コンプレッサのような油水の排出を行う装置から排出されて気液分離や油吸着が行われた混合液を清水化するためのフィルタであって、該フィルタは、タンク内に充填されて配置され多重に積重されている多機能のフィルタ群からなり、該フィルタ群は、少なくとも油の吸着を行う第１のフィルタと、油の吸着及び油水の乳化分離を行う第２のフィルタと、乳化分離を主に行う第３のフィルタとを有するものからなることを特徴とするドレン清水化用フィルタ。
【請求項２】
前記フィルタ群が、前記混合液の導入方向に沿って第１のフィルタ、第３のフィルタ、第２のフィルタ、第１のフィルタの順で配列されていることを特徴とする請求項１に記載のドレン清水化用フィルタ。
【請求項３】
前記フィルタ群は、全体としてネット状の袋体により被包されて一体化される形態のものからなることを特徴とする請求項１又は２に記載のドレン清水化用フィルタ。
【請求項４】
前記第１のフィルタ及び第３のフィルタは、その中心に芯体を有し、該芯体にシート状部材を複数回巻回されたものからなり、前記第２のフィルタは活性炭素をネット状部材にて一重又は多重に被包したものからなることを特徴とする請求項１乃至３のいずれかに記載のドレン清水化用フィルタ。
【請求項５】
隣接する前記第１のフィルタ、第２のフィルタ、第３のフィルタ間には場合により板部材が介設されることを特徴とする請求項１乃至４のいずれかに記載のドレン清水化用フィルタ。
【請求項６】
前記フィルタ群が、少なくとも１つのタンク内に１段又は複数段配設されることを特徴とする請求項１乃至５のいずれかに記載のドレン清水化用フィルタ。
【請求項７】
前記タンクは、１個又は複数個のものからなり、前記タンクに導入される前記混合液は前記多数個のタンクに同時に又は順次に導入されることを特徴とする請求項１乃至６のいずれかに記載のドレン清水化用フィルタ。
【請求項８】
前記請求項１乃至７に記載されているドレン清水化用フィルタの製造方法であって、該方法は、前記芯体の外周に油吸着機能を有するシート状部材を複数回巻回して前記第１のフィルタを作成し、前記芯体の外周に油吸着と油水の乳化分離を行うシート状部材を複数回巻回してなる第３のフィルタを作成し、主に油水の乳化分離機能を有する粒体を一重又は多重のネット部材にて被包し前記第１及び第３のフィルタとほぼ同一容積のものからなる第２のフィルタを夫々作成する第１の手順と、前記第１及び第３のフィルタの外径と同径又はやや小寸の内径を有する細長の中空円筒体を案内用部材として準備し、その外面に一方向側に開口部を有する前記ネット状の袋体をその底面を上にして被せる第２の手順と、被せられている前記袋体の底面に前記第１のフィルタを乗せてこれを前記中空円筒体内に押し込む第３の手順と、前記第３のフィルタ、第２のフィルタ及び第１のフィルタを前記板部材を介在させながら順次前記中空円筒体内に押し込む第４の手順と、前記第１乃至第３のフィルタのすべてを前記中空円筒体内に押し込んだ後に前記袋体の前記開口部を結束して全フィルタを前記袋体内に封止込める第５の手順とからなることを特徴とするドレン清水化用フィルタの製造方法。
【請求項９】
前記請求項８に記載のドレン清水化用フィルタの製造方法により製作された前記ドレン清水化用フィルタの前記タンク内へのセット方法及び該タンクから取り出す方法であって、まずそのセット方法は、前記タンクの底部に水道水を少量投入し蓄溜させる第１の手順と、前記フィルタ群を前記タンク内に押し込みながら前記水道水を前記フィルタ群にしめらせる第２の手順と、フィルタ群をｎ重に積重する場合には押し込まれた一重目のフィルタ群の上面に少量の水道水を投入する第３の手順と、次のｎ重目のフィルタ群を前記タンク内に導入し前記水道水で前記フィルタ群をしめらせながら前記一重目のフィルタ群上に次のｎ重目のフィルタ群を積重し前記タンク内に押し込む第４の手順と、すべてのフィルタ群を前記タンク内に押し込んだ後に前記タンクの上面を閉止する第５の手順とからなり、前記タンク内にセットされたフィルタ群を取り出す方法は、前記タンクの上面を開放し、かつ開閉弁を開放した後、上方側のフィルタ群を上方に持ち上げて順次すべてのフィルタ群を前記タンク内から引き上げ、最後に開閉弁を閉止することからなることを特徴とするドレン清水化用フィルタのセット方法及び取り出し方法。
【発明の詳細な説明】
【０００１】
【発明の属する技術分野】
本発明は、コンプレッサ等から排出されるドレンを清水化するフィルタとその製造方法及びセット及び取り出し方法に係り、特に、水質汚濁防止法の排水基準許容値を満足する清水を排出することの可能なドレン清水化用フィルタとその製造方法及びセット及び取り出し方法に関する。
【０００２】
【従来の技術】
コンプレッサ等から排出されるドレンをそのまま排出することは環境保全の面で禁止されている。このため、ドレンは清水化して排出することが義務づけられている。排出されるドレンには空気が含まれているため、まず、ドレンと空気とを分離し、その分離された混合液の油と水を分離して清水を排出するように構成される各種ドレン排出装置がある。これ等は、各種のフィルタを介して油水の分離や吸着を行わせる構造のものからなるが、以下に説明する本発明のドレン清水化用フィルタのように多重多機能構造で油の分離、吸着、乳化を行って基準値を満足する清水を安定して排出できるものはなく、かつそのフィルタの製造方法やセット及び取り出し方法について詳細に開示されているものは見当らない。
【０００３】
【発明が解決しようとする課題】
基準値を満足する清水を排出するには、単に混合液をフィルタ内に通過させるだけでは不十分である。即ち、混合液中の油を吸着しても水と油とはある媒体を介してかたく結合しているため、油吸着のみを機能としているフィルタのみではこの媒体の分解はできない。よって、この媒体を分解するための乳化分離を行うフィルタが必要である。更に、乳化分離された油と水をその後油吸着するフィルタが必要になる。更にこのような多機能のフィルタを一段のみ配置しても基準を満足する清水が得られない場合は、複数段に以上のフィルタ群を積重し、混合液を通過させることが必要になる。また、以上の構造のフィルタ群はセットし易い構造で、かつ座屈しない構造のものが必要であり、かつセット作業やその取り出し作業が易しく、メンテナンス性もよいことが必要になる。また、フィルタ群を充填収納するタンクが単一の場合には十分な清水が得られない場合は複数個のタンクを配設することも必要になる。
【０００４】
本発明は、以上の事情に鑑みて発明されたものであり、基準値を満足する清水を安定して排出し得る構造のフィルタを提供すると共に、その製造方法及びセット及び取り出し方法を提供することを目的とする。
【０００５】
【課題を解決するための手段】
本発明は、以上の目的を達成するために、請求項１の発明は、コンプレッサのような油水の排出を行う装置から排出されて気液分離や油吸着が行われた混合液を清水化するためのフィルタであって、該フィルタは、タンク内に充填されて配置され多重に積重されている多機能のフィルタ群からなり、該フィルタ群は、少なくとも油の吸着を行う第１のフィルタと、油の吸着及び油水の乳化分離を行う第２のフィルタと、乳化分離を主に行う第３のフィルタとを有するものからなることを特徴とする。以上の構造の各フィルタにより、混合液の乳化分離や吸着が完全に行われ、基準値を満足する清水を排出することができる。
【０００６】
また、請求項２の発明は、前記フィルタ群が、前記混合液の導入方向に沿って第１のフィルタ、第３のフィルタ、第２のフィルタ、第１のフィルタの順で配列されていることを特徴とする。フィルタ群を以上のように配列することにより、油分離と乳化分離、その繰返し及びその後の油吸着等が行われ、混合液の清水化がほぼ完全に行われる。
【０００７】
また、請求項３の発明は、前記フィルタ群は、全体としてネット状の袋体により被包されて一体化される形態のものからなることを特徴とする。フィルタ群をネット状の袋体に入れることにより、各フィルタが袋体の網目から少しはみ出し第３のタンクの内面に圧着する。これにより導入された混合液は袋体と第３のタンクの内面との間には流れず、大部分の混合液はフィルタ群の内部を流れる。これにより油吸着、乳化分離等が確実に行われる。また、袋体を用いることによりフィルタ群の挿入時におけるめくれも防止される。
【０００８】
また、請求項４の発明は、前記第１のフィルタ及び第３のフィルタは、その中心に芯体を有し、該芯体にシート状部材を複数回巻回されたものからなり、前記第２のフィルタは活性炭素をネット状部材にて一重又は多重に被包したものからなることを特徴とする。芯体を用いることにより、第１のフィルタや第３のフィルタの形態の安定化が図れると共に剛性を有するものとなり座屈防止効果が生ずる。また、第２のフィルタはネット部材で一重又は多重に被包することにより、その機能を損なわせることなく、取扱性の向上が図れる。なお、芯体としては発泡スチロールのようなものが一例として用いられる。
【０００９】
また、請求項５の発明は、隣接する前記第１のフィルタ、第２のフィルタ、第３のフィルタ間には場合により板部材が介設されることを特徴とする。フィルタ間に板部材を介在させることにより座屈防止効果と取扱性の向上が図れる。なお、介在しなくても座屈防止強度を有する場合は前記板部材は用いなくてもよい。
【００１０】
また、請求項６の発明は、前記フィルタ群が、少なくとも１つのタンク内に１段又は複数段配設されることを特徴とする。フィルタ群を一重又は必要に応じて多重に充填することにより、十分な油水分離と乳化ができ、基準値を満足した清水を確実に得ることができる。
【００１１】
また、請求項７の発明は、前記タンクは、１個又は複数個のものからなり、前記タンクに導入される前記混合液は前記多数個のタンクに同時に又は順次に導入されることを特徴とする。タンクを複数個配列することにより、より完全なドレンの清水化ができる。
【００１２】
また、請求項８の発明は、前記請求項１乃至７に記載されているドレン清水化用フィルタの製造方法であって、該方法は、前記芯体の外周に油吸着機能を有するシート状部材を複数回巻回して前記第１のフィルタを作成し、前記芯体の外周に油吸着と油水の乳化分離を行うシート状部材を複数回巻回してなる第３のフィルタを作成し、主に油水の乳化分離機能を有する粒体を一重又は多重のネット部材にて被包し前記第１及び第３のフィルタとほぼ同一容積のものからなる第２のフィルタを夫々作成する第１の手順と、前記第１及び第３のフィルタの外径と同径又はやや小寸の内径を有する中空円筒体を案内用部材として準備し、その外面に一方向側に開口部を有する前記ネット状の袋体をその底面を上にして被せる第２の手順と、被せられている前記袋体の底面に前記第１のフィルタを乗せて前記中空円筒体内に押し込む第３の手順と、前記第３のフィルタ、第２のフィルタ及び第１のフィルタを前記板部材を介在させながら順次前記中空円筒体内に押し込む第４の手順と、前記第１乃至第３のフィルタのすべてを前記中空円筒体内に押し込んだ後に前記袋体の前記開口部を結束して全フィルタを前記袋体内に封止込める第５の手順とからなることを特徴とする。以上の製造方法により本発明のドレン清水化用フィルタを容易に、かつ高品質に製作できる。
【００１３】
また、請求項９の発明は、前記請求項８に記載のドレン清水化用フィルタの製造方法により製作された前記ドレン清水化用フィルタの前記タンク内へのセット方法及び該タンクから取り出す方法であって、まずそのセット方法は、前記タンクの底部に水道水を少量投入し蓄溜させる第１の手順と、前記フィルタ群を前記タンク内に押し込みながら前記水道水を前記フィルタ群にしめらせる第２の手順と、フィルタ群をｎ重に積重する場合には押し込まれた一重目のフィルタ群の上面に少量の水道水を投入する第３の手順と、次のｎ重目のフィルタ群を前記タンク内に導入し前記水道水で前記フィルタ群をしめらせながら前記一重目のフィルタ群上に次のｎ重目のフィルタ群を積重し前記タンク内に押し込む第４の手順と、すべてのフィルタ群を前記タンク内に押し込んだ後に前記タンクの上面を閉止する第５の手順とからなり、前記タンク内にセットされたフィルタ群を取り出す方法は、前記タンクの上面を開放し、かつ開閉弁を開放した後、上方側のフィルタ群を上方に持ち上げて順次すべてのフィルタ群を前記タンク内から引き上げ、最後に開閉弁を閉止することからなることを特徴とする。以上により、ドレン清水化用フィルタのセットが容易にでき、かつその取り出しも効率的に、かつ容易にできる。
【００１４】
【発明の実施の形態】
以下、本発明のドレン清水化用フィルタとその製造方法及びセット及び取り出し方法について図面を参照して詳述する。まず、図１により本発明のドレン清水化用フィルタの収納されている第３のタンク及びこの第３のタンクを含むドレン清水化装置の全体構造の概要を説明する。まず、コンプレッサ等からの空気を含むドレンは空気と油水とを分離して空気を大気側に放出するエアブリーザ１９を有する第１のタンク１６内に導入される。なお、第１のタンク１６内では油水の重力分離が行われ、分離された油は除去される。第１のタンク１６には開閉弁２０を有する第１の管路２１を介して第２のタンク１７が連結される。この第２のタンク１７の混合液の導入側には混合液内の浮遊物を浮上除去するための浮遊物除去フィルタ２２が設けられている。第２のタンク１７内で浮遊物の除去と重力による油水分離とがなされた混合液は第２の管路２３を介して第３のタンク１８に導入される。この第３のタンク１８内には本発明のドレン清水化用フィルタ１が充填されている。なお、本実施の形態ではドレン清水化用フィルタ１は２段に充填されているが、勿論、これに限定するものではない。また、第２の管路２３にはポンプ２４と、逆止弁２５と、圧力ゲージ２６及び開閉弁２７が配設されている。なお、ポンプ２４にはポンプ２４による混合液のタンク内への導入回数をカウントするカウンタ３１が連結される。のこのポンプ２４は第２のタンク１７に配置されているレベルゲージ２８のレベル量と対応して作動すると共に第３のタンク１８側に第２のタンク１７からの混合液を間欠的に導入し、第３のタンク１８内での清水化をより確実にする構造のものからなる。なお、逆止弁２５はポンプ２４からの混合液の第３のタンク１８側への導入時における第３のタンク１８側からの逆流を防止するものである。また、圧力ゲージ２６は第３のタンク１８内のドレン清水化用フィルタ１の詰まり具合を検出するためのものである。また、第３のタンク１８には開閉弁２９を有する第３の管路３０が連結され、第３の管路３０を介して清水が清水供給場所に供給される。また、第３のタンク１８は中空円筒体からなるが、その上下には空隙部３２，３３が形成され、空隙部３２，３３内には清水化用フィルタ１を保持する補強部材３４，３５が設けられている。
【００１５】
次に、図２により本発明のドレン清水化用フィルタ１の構造を説明する。図示のようにドレン清水化用フィルタ１は、第１のフィルタ２と、第３のフィルタ３と、第２のフィルタ４及び第１のフィルタ２とを夫々板部材７，７を介在せしめて一直線状に互いに隣接せしめて並べてフィルタ群とした４重構造のものからなる。なお、この４重で１段を形成し、多段の場合は同一構造のものを更に積重して配置するものからなる。また、以上の４重のフィルタ群はネット状の袋体５（図５）により被包されて結束され一体的構造のものにまとめられる。
【００１６】
第１のフィルタ２は、例えば、発泡スチロールからなる芯体６にポリプロピレンのシート状部材を複数回巻回したものからなり、全体として外径ｄで長さｂの円筒体からなり、主に油の吸着を機能とするものである。なお、前記シート状部材はポリプロピレンに限らず以上の機能を有する他の材料からなるシート状部材を用いてもよい。第３のフィルタ３は乳化分離機能を有するシート状部材を同じく芯体６に複数回巻回したものからなり、前記のように乳化分離を主に行う機能を有するものである。この全体形状も第１のフィルタ２と同じく外径ｄで長さｂの円筒体からなる。図３に示すように、混合液の水８は油９の外周に媒体１０を介して固く付着しているため第１のフィルタ２による油の吸着作用ではこの油と水の分離が十分にできない。第３のフィルタ３は前記の媒体１０を乳化除去する機能を有する。従って、第１のフィルタ２を通過して図３の状態にある混合液は第３のフィルタ３により媒体１０を除去された乳化分離作用を受ける。これにより、油と水とが殆ど分離される。
【００１７】
第２のフィルタ４は、粒状の活性炭素１１からなり、図４に示すように二重のネット状部材１２，１３により包み込まれた状態のものからなる。なお、活性炭素の全体の容積は前記の第１のフィルタ２や第３のフィルタ３の容積（π／４ｄ2・ｂ）とほぼ等しいものからなる。この活性炭素は混合液中の油の吸着と前記の乳化分離及び脱臭の機能を有するものである。
【００１８】
ドレン清水化用フィルタ１は前記構造の各フィルタを図２に示すように第１のフィルタ２、第３のフィルタ３、第２のフィルタ４及び第１のフィルタ２の順序で互いに隣接して並べたものからなり、図５のように、ネット状の袋体５によりすっぽりと被包し、結束したものからなる。なお、袋体５には挿脱に便利な細長の紐体５ａが一体的に形成される。
【００１９】
図６に示すように板部材７は直径ｄの薄板の円板からなる。その材質は鉄、プラスチック、紙材等からなり、ある程度の強度を有するものからなる。この板部材７には混合液の通過のための貫通孔１４が複数個開口形成されている。この構造の板部材７と芯体６の存在と袋体５による各フィルタの全体としての結束によりドレン清水化用フィルタ１は座屈し難い細長な円筒体からなり、かつ袋体５によりまとめられているため取扱性や運搬性のよいものからなる。また、袋体５を用いることにより第１のフィルタ２や第３のフィルタ３の一部が袋体５の網目からはみ出し、第３のタンク１８の内面に圧接し、第３のタンク１８との間の隙間がなくなる。このため混合液は各フィルタ２，３，４内のみに導入され、混合液の清水化が効果的に行われる。
【００２０】
次に、図１に示したドレン清水化装置によるドレンの清水化作用について説明する。図１に示すように、コンプレッサ等から排出される空気を含むドレンは第１のタンク１６のエアブリーザ１９内に導入され空気と油水の混合液とを分離し、空気は大気側に放出される。混合液は重力により油水分離され、浮上した油は第１のタンク１６外に排出される。混合油は第１の管路２１を介して第２のタンク１７側に導入され、浮遊物除去フィルタ２２により浮遊物が除去され、第２のタンク１７内で重力で油水分離されて第２の管路２３に進み、第３のタンク１８内に導入される。この混合液の導入はポンプ２４の間欠供給により行われる。混合液を間欠導入するのは、一度に多重の混合液を第３のタンク１８に導入すると油水の分離や吸着が第３のタンク１８内で十分に行わなくなり、これを防止するためである。
【００２１】
第３のタンク１８内には本発明のドレン清水化用フィルタ１が充填されているが、混合液が第２の管路２３から導入されると第３のタンク１８内の圧力が上り、第３のタンク１８側から第２の管路２３側への逆流が生ずる。逆止弁２５はこの逆流を防止し、第３のタンク１８内での油吸着、分離作用を効果的に行わせるべく機能する。また、圧力ゲージ２６はドレン清水化用フィルタ１の詰まり等による第３のタンク１８内の圧力の上昇を検出し、ドレン清水化用フィルタ１の交換やメンテナンス時期を検出するためのものである。
【００２２】
第３のタンク１８内にポンプ２４により混合液が導入されると、まず、第１のフィルタ２による油吸着が行われる。然し乍ら、第１のフィルタ２では図３に示すような形態にある油９を吸着することができない。第３のフィルタ３は図３に示す状態にある混合液の媒体１０を除去し油９と水８との分解，分離を行う。これにより、混合液は殆ど油と水に分離されて第２のフィルタ４内に導入される。第２のフィルタ４は分離されている油の吸着と媒体の除去による乳化吸着を行うべく機能し、ここで、完全に油と水の分離が行われると共に油の吸着も行われる。次に、この混合液は再び第１のフィルタ２内に導入され、更に油の吸着が行われる。以上により、第３の管路３０側には基準値を満足した清水が送られることになる。
【００２３】
次に、図７（ａ），（ｂ），（ｃ），（ｄ），（ｅ）により以上の構造のドレン清水化用フィルタ１の製造方法を説明する。前記のように、第１のフィルタ２，第２のフィルタ４，第３のフィルタ３は夫々個別に作成される。この単独の各フィルタ２，３，４全体を袋体５に挿入する場合、これ等を直接袋体５内に挿入することは難しく効率的でないばかりでなく、良品質のフィルタ群を作成することが難しい。そこで図７に示すような製造方法が採用される。まず、図７（ａ）に示すようにセット用円筒体１５を準備する。このセット用円筒体１５はこの内径が前記の各フィルタ２，３，４の外径ｄと同径又は小径で全長が各フィルタ２，３，４の重ね長さ（４×ｂ）以上のものからなる。このセット用円筒体１５に図７（ａ）に示すように袋体５を被せ、その底面５ｂをセット用円筒体１５の上面に配置する。即ち、セット用円筒体１５の上面は底面５ｂにより覆われる。次に、図７（ｂ）に示すように第１のフィルタ２を挿入し、底面５ｂを押し下げ、更に次の第２のフィルタ４を挿入する。引き続き図７（ｃ）に示すように順次第３のフィルタ３、第１のフィルタ２を挿入する。全部のフィルタを挿入したら図７（ｄ）に示すように袋体５の開口部を結束し紐体５ａを作り、ドレン清水化用フィルタ１を完成させる。次に、図７（ｅ）に示すように紐体５ａを持ってドレン清水化用フィルタ１全体をセット用円筒体１５から引き上げる。
【００２４】
次に、ドレン清水化用フィルタ１のセット方法とメンテナンス時等におけるドレン清水化用フィルタ１の取り出し作業等について説明する。ドレン清水化用フィルタ１は図５等に示す状態に組み上げられても全体としてはドライのものであり、そのままの状態では第３のタンク１８内に円滑に挿入できない。そこでセット時には図８（ａ），（ｂ），（ｃ），（ｄ）の方法が一例として採用される。
【００２５】
まず、図８（ａ）に示すように、第３のタンク１８の底部、詳しくは補強部材３５の上面板３６上に水道水３７を少量導入する。次に、図８（ｂ）に示すように、既に組み上げられているドレン清水化用フィルタ１を袋体５ごと第３のタンク１８内に挿入する。この作業により、水道水３７はドレン清水化用フィルタ１の外面に付着する。ドレン清水化用フィルタ１の外面に水道水３７が付着することにより滑り易くなりドレン清水化用フィルタ１は第３のタンク１８内に円滑に無理なく挿入される。多重にドレン清水化用フィルタ１を第３のタンク１８内に挿入する場合には、図８（ｃ）に示すように、挿入された１番目のドレン清水化用フィルタ１の上面に少量の水道水３７を導入し、前記と同様にこの上に２番目のドレン清水化用フィルタ１を乗せて第３のタンク１８内に挿入する。以下、同様の作業を繰返し行って全部のドレン清水化用フィルタ１が第３のタンク１８内に挿入されたら図８（ｄ）に示すように頂部に水道水を入れて空気を除去し、最後に第３のタンク１８の上蓋３８を閉める。以上により、ドレン清水化用フィルタ１のセット方法が終了する。
【００２６】
次に、セットされたドレン清水化用フィルタ１を第３のタンク１８から取り出す方法を図９により説明する。この場合は、まず、上蓋３８（図８（ｄ））を取り外し、補強部材３４を取り除き、開閉弁２９を開放する。この状態で上段のドレン清水化用フィルタ１の紐部５ａ（図５）を持ってドレン清水化用フィルタ１を持ち上げればよい。開閉弁２９が開放されているため、第３のタンク１８内は真空状態にならず、円滑な取り出し作業が容易に行われる。
【００２７】
装置の長時間の使用によりドレン清水化用フィルタ１は目詰まりしたり、機能劣化が生ずる。その時期は前記したように圧力ゲージ２６によって検出される。メンテナンスのためドレン清水化用フィルタ１を第３のタンク１８から引き出す作業は前記の取り出し方法と同様である。また、ポンプ２４に付設されるカウンタ３１のカウント数によりメンテナンス時期を検出することもできる。
【００２８】
前記の実施の形態の説明では、第３のタンク１８は図１に示すように１個だけ配置されている場合について説明したが第３のタンク１８は複数個であってもよい。図１０，図１１は第３のタンク１８を２個採用した実施の形態を示すがこれに限定するものではない。図１０の場合は第３のタンク１８，１８ａを並設し、第２のタンク１７からの第２の管路２３を第３のタンク１８，１８ａの双方に連結したものである。両方の第３のタンク１８，１８ａに同時に導入された混合液は両タンク１８，１８ａ内で清水化され第３の管路３０ａにまとめられて排出される。
【００２９】
図１１は第３のタンク１８，１８ａを直列に連結した場合を示す。この場合、第２の管路２３からの混合液は、まず、第３のタンク１８に入り、清水化された後に次の第３のタンク１８ａに導入されて清水化されて第３の管路３０ｂから排出される。以上により、清水化がより完全に行われる。
【００３０】
以上の説明においてドレン清水化用フィルタ１は４重構造のものとしたが更に多重のものでもよい。また、第３のタンク１８内に配設されるドレン清水化用フィルタ１は２段でなくてもよく、更に多段のものでもよい。
【００３１】
【発明の効果】
本発明によれば、ドレンの油と水の分離吸着が完全に行われ、かつ油と水との間の媒体の除去による油水の分離が確実に行われ、かつ油吸着のフィルタを重複して配置することにより基準値を満足した清水を清水供給側に送ることができる。また、取扱性や運搬性もよく、セット効率やメンテナンス効率の向上も図れる。また、ドレン清水化用フィルタの製造も整然と行われ、コンパクトに、かつ高品質のフィルタとしてまとめられる。
【図面の簡単な説明】
【図１】
本発明のドレン清水化用フィルタの適用されるドレン清水化装置の全体概要構
造を示す構成図。
【図２】
ドレン清水化用フィルタの構造を示す断面図。
【図３】
混合液の油と水との媒体を介しての結合状態を示す模式的断面図。
【図４】
ドレン清水化用フィルタの第２のフィルタの自由状態における断面図。
【図５】
本発明のドレン清水化用フィルタの全体構造を示す断面図。
【図６】
本発明のドレン清水化用フィルタの各フィルタ間に介設させる板部材の平面図
（ａ）とＡ−Ａ線断面図（ｂ）。
【図７】本発明のドレン清水化用フィルタの製造方法を説明するための模式的断面図。
【図８】本発明のドレン清水化用フィルタのセット方法を説明するための模式的断面図。
【図９】本発明のドレン清水化用フィルタの取り出し方法（メンテナンス方法）を説明するための模式的断面図。
【図１０】本発明のドレン清水化用フィルタを収納する第３のタンクを複数個並設的に用いた場合の実施の形態を説明するための模式的部分構成図。
【図１１】本発明のドレン清水化用フィルタを収納する第３のタンクを複数個直列的用いた場合の実施の形態を説明するための模式的部分構成図。
【符号の説明】
１      ドレン清水化用フィルタ
２      第１のフィルタ
３      第３のフィルタ
４      第２のフィルタ
５      袋体
５ａ    紐体
５ｂ    底面
６      芯体
７      板部材
８      水
９      油
１０    媒体
１１    活性炭素
１２    ネット部材
１３    ネット部材
１４    貫通孔
１５    セット用円筒体
１６    第１のタンク
１７    第２のタンク
１８    第３のタンク
１８ａ  第３のタンク
１９    エアブリーザ
２０    開閉弁
２１    第１の管路
２２    浮遊物除去フィルタ
２３    第２の管路
２４    ポンプ
２５    逆止弁
２６    圧力ゲージ
２７    開閉弁
２８    レベルゲージ
２９    開閉弁
３０    第３の管路
３０ａ  第３の管路
３０ｂ  第３の管路
３１    カウンタ
３２    空隙部
３３    空隙部
３４    補強部材
３５    補強部材
３６    上面板
３７    水道水
３８    上蓋
【図１】
2004188378.tif 000003
【図２】
2004188378.tif 000004
【図３】
2004188378.tif 000005
【図４】
2004188378.tif 000006
【図５】
2004188378.tif 000007
【図６】
2004188378.tif 000008
【図７】
2004188378.tif 000009
【図８】
2004188378.tif 000010
【図９】
2004188378.tif 000011
【図１０】
2004188378.tif 000012
【図１１】
2004188378.tif 000013